(57)【要約】      （修正有）【課題】接着剤を用いて基板に固定した場合であっても、発光素子と光伝送体とを光学的に接続できる光レセプタクルを提供する。【解決手段】光レセプタクルは、複数の発光素子１１４から出射された光を入射させる複数の第１光学面１２１と、複数の第１光学面で入射した光を複数の光伝送体に向けて出射させる複数の第２光学面と、第１光学面で入射した光を第２光学面に向けて反射させる第３光学面とを有する。第１光学面１２１の中心と発光素子１１４の発光面との距離および第２光学面の中心と発光素子１１４の発光面との距離は、列の両端から中心に向かうにつれて長い。また、第１光学面１２１の中心間距離および第２光学面の中心間距離は、発光素子１１４から出射される光の光軸間距離および光伝送体の受光面の中心間距離より短い。【選択図】図７
2015155995.tif 000002
【特許請求の範囲】
【請求項１】
一定間隔で配列された複数の発光素子または複数の受光素子と、一定間隔で配列された複数の光伝送体との間に配置され、前記複数の発光素子または前記複数の受光素子と、前記複数の光伝送体の端面とをそれぞれ光学的に接続する光レセプタクルであって、
前記複数の発光素子から出射された光をそれぞれ入射させるか、内部を通る光を前記複数の受光素子に向けてそれぞれ出射させる、前記複数の発光素子または前記複数の受光素子に対応して配列された複数の第１光学面と、
前記複数の第１光学面で入射した光を前記複数の光伝送体の端面に向けてそれぞれ出射させるか、前記複数の光伝送体からの光をそれぞれ入射させる、前記複数の光伝送体に対応して配列された複数の第２光学面と、
前記第１光学面で入射した光を前記第２光学面に向けて反射させるか、前記第２光学面で入射した光を前記第１光学面に向けて反射させる第３光学面と、
を有し、
前記第１光学面の中心と前記発光素子の発光面または前記受光素子の受光面と同位置に配置される仮想平面との距離および前記第２光学面の中心と前記仮想平面との距離は、前記第１光学面の列および前記第２光学面の列の両端から中心に向かうにつれて長く、
列の方向に隣接する２つの前記第１光学面の中心間距離および列の方向に隣接する２つの前記第２光学面の中心間距離は、配置されたときに対向する隣接する２つの前記発光素子から出射される光の光軸間距離および配置されたときに対向する隣接する２つの前記光伝送体の受光面の中心間距離より短いか、配置されたときに対向する隣接する２つの前記光伝送体から出射される光の光軸間距離および配置されたときに対向する隣接する２つの前記受光素子の受光面の中心間距離より短い、
光レセプタクル。
【請求項２】
複数の発光素子または複数の受光素子が一定間隔で配列された基板と、
前記基板との接点で前記基板上に接着された請求項１に記載の光レセプタクルと、
を有する、光モジュール。
【発明の詳細な説明】
【技術分野】
【０００１】
本発明は、光レセプタクルおよびこれを有する光モジュールに関する。
【背景技術】
【０００２】
従来、光ファイバーや光導波路などの光伝送体を用いた光通信には、面発光レーザー（例えば、ＶＣＳＥＬ：Vertical Cavity Surface Emitting Laser）などの発光素子を備えた光モジュールが使用されている。光モジュールは、発光素子から出射された通信情報を含む光を、光伝送体の端面に入射させる光レセプタクルを有する。
【０００３】
たとえば、特許文献１には、光コネクターと、発光素子を配置した基板と、を有する光モジュールが記載されている。光コネクターは光ファイバーおよびコネクター部を有し、コネクター部は複数の光ファイバーの先端部と発光素子との間に配置されたレンズアレイ（光レセプタクル）を有する。また、レンズアレイは、発光素子から出射された光を光ファイバーの先端部に向かって反射する反射ミラーと、反射ミラーで反射した光を光ファイバーの先端部に向けて集光する集光レンズと、を有する。
【０００４】
特許文献１に記載の光モジュールでは、基板の所定の位置に光コネクターを位置決めして、レンズアレイの側面と基板との境界に熱硬化性のエポキシ樹脂接着剤を付けて熱硬化させることで、基板に対して光コネクターを固定している。
【０００５】
このように製造された光モジュールでは、発光素子から出射した光は、反射ミラーで光ファイバーの先端部に向かって反射され、集光レンズを介して光ファイバーの先端部に到達する。
【先行技術文献】
【特許文献】
【０００６】
【特許文献１】特開２０１０−１７５９４２号公報
【発明の概要】
【発明が解決しようとする課題】
【０００７】
しかしながら、特許文献１に記載の光モジュールでは、エポキシ樹脂接着剤を硬化させると、エポキシ樹脂接着剤の収縮によりレンズアレイが変形する。その結果として、反射ミラーも変形してしまう。また、集光レンズも変形し、その配置も変化してしまう。そして、エポキシ樹脂接着剤は、レンズアレイを変形させた状態で硬化する。よって、レンズアレイは、基板に固定された後も変形したままになってしまい、発光素子から出射された光を光ファイバーの端面に適切に導くことができないことがある。このように、特許文献１に記載のレンズアレイ（光レセプタクル）には、接着剤を用いて基板に固定した場合に発光素子と光ファイバーとを光学的に適切に接続できないことがあるという問題があった。
【０００８】
そこで、本発明の目的は、接着剤を用いて基板に固定した場合であっても、発光素子または受光素子と、光伝送体とを光学的に適切に接続できる光レセプタクルを提供することである。また、本発明の目的は、前記光レセプタクルを有する光モジュールを提供することでもある。
【課題を解決するための手段】
【０００９】
［１］本発明の光レセプタクルは、一定間隔で配列された複数の発光素子または複数の受光素子と、一定間隔で配列された複数の光伝送体との間に配置され、前記複数の発光素子または前記複数の受光素子と、前記複数の光伝送体の端面とをそれぞれ光学的に接続する光レセプタクルであって、前記複数の発光素子から出射された光をそれぞれ入射させるか、内部を通る光を前記複数の受光素子に向けてそれぞれ出射させる、前記複数の発光素子または前記複数の受光素子に対応して配列された複数の第１光学面と、前記複数の第１光学面で入射した光を前記複数の光伝送体の端面に向けてそれぞれ出射させるか、前記複数の光伝送体からの光をそれぞれ入射させる、前記複数の光伝送体に対応して配列された複数の第２光学面と、前記第１光学面で入射した光を前記第２光学面に向けて反射させるか、前記第２光学面で入射した光を前記第１光学面に向けて反射させる第３光学面と、を有し、前記第１光学面の中心と前記発光素子の発光面または前記受光素子の受光面と同位置に配置される仮想平面との距離および前記第２光学面の中心と前記仮想平面との距離は、前記第１光学面の列および前記第２光学面の列の両端から中心に向かうにつれて長く、列の方向に隣接する２つの前記第１光学面の中心間距離および列の方向に隣接する２つの前記第２光学面の中心間距離は、配置されたときに対向する隣接する２つの前記発光素子から出射される光の光軸間距離および配置されたときに対向する隣接する２つの前記光伝送体の受光面の中心間距離より短いか、配置されたときに対向する隣接する２つの前記光伝送体から出射される光の光軸間距離および配置されたときに対向する隣接する２つの前記受光素子の受光面の中心間距離より短い。
【００１０】
［２］本発明の光モジュールは、複数の発光素子または複数の受光素子が一定間隔で配列された基板と、前記基板との接点で前記基板上に接着された［１］に記載の光レセプタクルと、を有する。
【発明の効果】
【００１１】
本発明によれば、基板に接着して変形した場合であっても、複数の発光素子または複数の受光素子と、複数の光伝送体とを光学的に適切に接続させることができる。
【図面の簡単な説明】
【００１２】
【図１】図１は、実施の形態に係る光モジュールの断面図である。
【図２】図２Ａ〜Ｅは、実施の形態に係る光レセプタクルの構成を示す図である。
【図３】図３Ａ，Ｂは、接着剤の硬化時における光レセプタクルの変形を示す図である。
【図４】図４Ａ，Ｂは、接着剤の硬化前における、比較例の光レセプタクルの第１光学面および第２光学面の配置を示す図である。
【図５】図５Ａ，Ｂは、接着剤の硬化前後における第２光学面の位置の変化を説明するための図である。
【図６】図６Ａ，Ｂは、接着剤の硬化後における、比較例に係る光レセプタクルでの光の光路を示す図である。
【図７】図７Ａ，Ｂは、接着剤の硬化前における、実施の形態に係る光レセプタクルでの第１光学面の配置を示す図である。
【図８】図８Ａ，Ｂは、接着剤の硬化前における、実施の形態に係る光レセプタクルでの第２光学面の配置を示す図である。
【図９】図９Ａ，Ｂは、接着剤の硬化後における、実施の形態に係る光レセプタクルでの光の光路を示す図である。
【発明を実施するための形態】
【００１３】
以下、本発明に係る実施の形態について、図面を参照して詳細に説明する。
【００１４】
（光モジュールの構成）
図１は、本発明の一実施の形態に係る光モジュール１００の断面図である。図１では、光レセプタクル１２０内の光路を示すために光レセプタクル１２０の断面へのハッチングを省略している。
【００１５】
図１に示されるように、光モジュール１００は、発光素子１１４を含む基板実装型の光電変換装置１１０と、光レセプタクル１２０と、を有する。光モジュール１００は、光レセプタクル１２０に複数の光伝送体１１６が接続されて使用される。光伝送体１１６の種類は、特に限定されず、光ファイバー、光導波路などが含まれる。本実施の形態では、複数の光伝送体１１６は、一定間隔で１列に配列されている複数の光ファイバーである。光ファイバーは、シングルモード方式であってもよいし、マルチモード方式であってもよい。なお、光伝送体１１６は、２列以上に配列されていてもよい。
【００１６】
光電変換装置１１０は、基板１１２および複数の発光素子１１４を有する。本実施の形態では、複数の発光素子１１４は、基板１１２上に一定間隔で１列に配列されており、基板１１２の表面に対して垂直方向にレーザー光を出射する。発光素子１１４は、例えば垂直共振器面発光レーザー（ＶＣＳＥＬ）である。なお、光伝送体１１６が２列以上に配列されている場合は、発光素子１１４も同じ列数で配列される。
【００１７】
光レセプタクル１２０は、光電変換装置１１０と光伝送体１１６との間に配置された状態で、複数の発光素子１１４と複数の光伝送体１１６の端面とをそれぞれ光学的に接続させる。以下、光レセプタクル１２０の構成について詳細に説明する。
【００１８】
（光レセプタクルの構成）
図２Ａ〜Ｅは、実施の形態に係る光レセプタクル１２０の構成を示す図である。図２Ａは、光レセプタクル１２０の平面図であり、図２Ｂは、底面図であり、図２Ｃは、正面図であり、図２Ｄは、背面図であり、図２Ｅは、右側面図である。
【００１９】
図２Ａ〜Ｅに示されるように、光レセプタクル１２０は、略直方体形状の部材である。光レセプタクル１２０は、透光性を有し、発光素子１１４から出射された光を光伝送体１１６の端面に向けて出射する。光レセプタクル１２０は、複数の第１光学面（入射面）１２１、第３光学面（反射面）１２２、複数の第２光学面（出射面）１２３、および複数の凹部１２４を有する。光レセプタクル１２０は、光通信に用いられる波長の光に対して透光性を有する材料を用いて形成される。そのような材料の例には、ポリエーテルイミド（ＰＥＩ）や環状オレフィン樹脂などの透明な樹脂が含まれる。また、後述するように、光レセプタクル１２０は、射出成形により製造される。
【００２０】
第１光学面１２１は、発光素子１１４から出射されたレーザー光を屈折させて光レセプタクル１２０の内部に入射させる入射面である。本実施の形態では、複数の第１光学面１２１は、光レセプタクル１２０の底面に、発光素子１１４とそれぞれ対向するように長辺方向に１列に配列されている。第１光学面１２１の形状は、特に限定されない。本実施の形態では、第１光学面１２１の形状は、発光素子１１４に向かって凸状の凸レンズ面である。また、第１光学面１２１の平面視形状は、円形である。第１光学面１２１（入射面）で入射した光は、第３光学面１２２（反射面）に向かって進行する。なお、発光素子１１４が２列以上に配列されている場合は、第１光学面１２１も同じ列数で配列される。
【００２１】
第３光学面１２２は、第１光学面１２１で入射した光を第２光学面１２３に向けて反射させる反射面である。第３光学面１２２は、光レセプタクル１２０の底面から天面に向かうにつれて、光伝送体１１６に近づくように傾斜している。発光素子１１４から出射される光軸に対する第３光学面１２２の傾斜角度は、特に限定されない。第３光学面１２２の傾斜角度は、第１光学面１２１で入射した光の光軸に対して４５°であることが好ましい。第３光学面１２２の形状は、特に限定されない。本実施の形態では、第３光学面１２２の形状は、平面である。第３光学面１２２には、第１光学面１２１で入射した光が、臨界角より大きな入射角で入射する。第３光学面１２２は、入射した光を第２光学面１２３に向かって全反射させる。すなわち、第３光学面１２２（反射面）では、所定の光束径の光が入射して、所定の光束径の光が第２光学面１２３（出射面）に向かって出射する。
【００２２】
第２光学面１２３は、第３光学面１２２で全反射した光を光伝送体１１６の端面に向けて出射させる出射面である。本実施の形態では、複数の第２光学面１２３は、光レセプタクル１２０の側面に、光伝送体１１６の端面とそれぞれ対向するように長辺方向に１列に配列されている。第２光学面１２３の形状は、特に限定されない。本実施の形態では、第２光学面１２３の形状は、光伝送体１１６の端面に向かって凸状の凸レンズ面である。これにより、第３光学面１２２で反射した所定の光束径の光を光伝送体１１６の端面に効率良く接続させることができる。なお、光伝送体１１６が２列以上に配列されている場合は、第２光学面１２３も同じ列数で配列される。
【００２３】
凹部１２４は、光伝送体１１６を光レセプタクル１２０（複数の第２光学面１２３が配置された面）に固定するための凹部である。凹部１２４に光伝送体取り付け部の突起をそれぞれ嵌合させることにより、光レセプタクル１２０の複数の第２光学面１２３が配置された面に対して光伝送体１１６が固定される。
【００２４】
凹部１２４の形状および数は、基板１１２に対して光レセプタクル１２０を固定することができれば、特に限定されない。すなわち、凹部１２４の形状は、光伝送体取り付け部の突起と相補的な形状であればよい。本実施の形態では、凹部１２４の形状は、円柱形状である。また、凹部１２４の数も光レセプタクル１２０に対して光伝送体１１６を固定することができればよく、通常は複数個形成されている。本実施の形態では、２個の凹部１２４が、複数の第２光学面１２３が配置された面に、第２光学面１２３の列を長辺方向に挟むように配置されている。
【００２５】
次に、光モジュール１００の製造方法について説明する。光モジュール１００は、射出成形により光レセプタクル１２０を成形し、成形した光レセプタクル１２０を基板１１２上に接着剤で固定することで製造されうる。
【００２６】
射出成形による光レセプタクル１２０の成形について説明する。まず、金型を型締めする。射出成型に使用される金型は、本実施の形態に係る光レセプタクル１２０を成形することができれば、金型駒の数や駒の割り方は、特に限定されない。型締めされた金型の内部には、設計通りの光レセプタクルと相補的な形状のキャビティーが形成される。次いで、溶融樹脂を金型内のキャビティーに充填する。そして、キャビティー内に溶融樹脂を充填させた状態で保圧しながら自然冷却する。最後に、型締めされた金型を型開きして、金型から光レセプタクル（射出成形品）１２０を離型する。
【００２７】
次いで、基板１１２に光レセプタクル１２０を固定する方法について説明する。基板１１２の表面に配置された複数の発光素子と、複数の第１光学面１２１がそれぞれ対向するように光レセプタクル１２０を位置決めする。そして、光レセプタクル１２０の長辺方向の両端面である一対の側面（図２Ｅに示される面とそれに対向する面）と基板１１２との境界に接着剤を付けて硬化させる。たとえば、熱硬化性のエポキシ樹脂接着剤を用いる場合は、接着剤を加熱する。
【００２８】
以上の手順により、光モジュール１００を製造する。
【００２９】
本実施の形態に係る光レセプタクル１２０は、光モジュール１００の製造時における接着剤の硬化に伴う変形を考慮して、第１光学面１２１および第３光学面１２２が配列されていることを一つの特徴とする。以下、図３〜図９を参照して、この特徴について説明する。
【００３０】
図３Ａ，Ｂは、接着剤の硬化時における光レセプタクル１２０の変形を示す図である。図３Ａは、接着剤の硬化時における光レセプタクル１２０に掛かる応力の方向を示す図であり、図３Ｂは、接着剤の硬化前後における第２光学面１２３の配置を示す図である。図３Ｂの破線は、接着剤の硬化前における第２光学面１２３を示している。また、図３Ｂの実線は、接着剤の硬化後における第２光学面１２３を示している。
【００３１】
図３Ａに示されるように、光レセプタクル１２０は、硬化に伴う接着剤の収縮により、接着剤が配置された方向に向かって引っ張られる（図３Ａ実線矢印参照）。本実施の形態では、接着剤は、光レセプタクル１２０の側面に接している。このため、光レセプタクル１２０には、接着剤の収縮に伴い、水平方向の外側に向かって力が働く。また、接着剤の収縮に伴い、光レセプタクル１２０には、天面から底面に向かって力が働く（図３Ａ破線矢印参照）。これにより、光レセプタクル１２０の天面は、基板１１２の方向に凸となるように変形する。これにより、第１光学面１２１、第２光学面１２３および第３光学面１２２（図３Ｂ参照）は、光レセプタクル１２０の長辺方向の外側に引っ張られるとともに、基板１１２の方向に凸の配置となるように変形する。
【００３２】
次に、接着剤を用いて光レセプタクルを基板１１２に対して固定した場合に、光レセプタクルがどの程度変形するかを調べた。なお、接着剤の硬化前後における第２光学面１２３の位置の変化を、光レセプタクルの変形の指標とした。また、光レセプタクルは、実施の形態１に係る光レセプタクル１２０ではなく、比較例に係る光レセプタクル１２０’を使用した。光レセプタクル１２０’は、１２個の第１光学面１２１および１２個の第２光学面１２３を有する。図４Ａ，Ｂは、接着剤を用いて基板１１２に固定される前の、比較例の光レセプタクル１２０’における第１光学面１２１および第２光学面１２３の配置を示す図である。
【００３３】
図４Ａに示されるように、比較例に係る光レセプタクル１２０’では、接着剤の硬化前の列における隣接する２つの第１光学面１２１の中心間距離Ｄ１は、対向した隣接する２つの発光素子１１４から出射される光の光軸間距離Ｄ２と同じである。また、複数の第１光学面１２１は、同一平面上に配置されている。すなわち、比較例に係る光レセプタクル１２０’では、接着剤を用いて基板１１２に固定される前の状態において、第１光学面１２１の中心軸と、発光素子１１４から出射される光の光軸とが一致している。また、図４Ｂに示されるように、比較例に係る光レセプタクル１２０’では、接着剤の硬化前の列における隣接する２つの第２光学面１２３の中心間距離Ｄ３は、配置されたときに対向する隣接する２つの光伝送体１１６の受光面の中心間距離Ｄ４と同じである。また、複数の第２光学面１２３は、同一平面上に配置されている。すなわち、比較例に係る光レセプタクル１２０’では、接着剤を用いて基板１１２に固定される前の状態において、第２光学面１２３から出射される光の光軸と、配置されたときに対向する光伝送体１１６の受光面の中心軸とが一致している。
【００３４】
図５は、接着剤の硬化前後における第２光学面１２３の位置を説明するための図である。図５Ａは、１２個の第２光学面１２３の接着剤の硬化に伴うＸ軸方向の相対値を示すグラフである。図５Ｂは、１２個の第２光学面１２３の接着剤の硬化に伴うＹ軸方向の相対値との関係を示すグラフである。なお、「Ｘ軸方向」とは、第２光学面１２３を正面視した場合の第２光学面１２３の列方向を意味する。また、「Ｙ軸方向」とは、Ｘ軸方向に直交する方向を意味する。図５Ａ、Ｂの横軸は、第２光学面１２３の番号を示している。なお、端部の第２光学面１２３を１番として、各第２光学面１２３に１２番まで番号を付した。図５Ａの縦軸は、第６番目の第２光学面１２３および第７番目の第２光学面１２３の中心を「０」とした場合におけるＸ軸方向の相対値を示している。図５Ｂの縦軸は、第６番目の第２光学面１２３および第７番目の第２光学面１２３の中心を「０」とした場合におけるＹ軸方向の相対値を示している。
【００３５】
図５Ａに示されるように、Ｘ軸方向について見てみると、接着剤の硬化に伴い、列の両側に向かうにつれて、各第２光学面１２３は、Ｘ軸方向の相対値が大きくなっている（中心から離れている）。このことから、接着剤の硬化に伴い、各第２光学面１２３は、光レセプタクル１２０’の外側に向かって拡がるように移動していることがわかる（図３Ｂ参照）。また、図５Ｂに示されるように、Ｙ軸方向について見てみると、接着剤の硬化に伴い、列の両側に向かうにつれて、各第２光学面１２３は、Ｙ軸方向の相対値が大きくなっている（中心から離れている）。なお、図５Ｂでは、第６番目の第２光学面１２３および第７番目の第２光学面１２３の中心を「０」としているため、両側の第２光学面１２３が上に向かって移動しているように見える。このことから、各第２光学面１２３は、基板１１２の表面との距離が列の両側から内側に向かって短くなるように（基板１１２側に向かって凸になるように）移動していることがわかる（図３Ｂ参照）。
【００３６】
次に、比較例の光レセプタクル１２０’を基板１１２に固定した場合における、発光素子１１４からの出射光の光路について説明する。
【００３７】
図６Ａ，Ｂは、接着剤により固定された比較例の光レセプタクル１２０’における光の光路を示した図である。図６Ａは、光レセプタクル１２０’における発光素子１１４から第３光学面１２２までの光路を示した図であり、図６Ｂは、光レセプタクル１２０’における第３光学面１２２から光伝送体１１６までの光路を示した図である。図６Ａ，Ｂにおいて、紙面左端の第１光学面１２１は、光レセプタクル１２０’を平面視した場合における左端の第１光学面１２１に対応しており、紙面中央の第１光学面１２１は、光レセプタクル１２０’を平面視した場合における中央の第１光学面１２１に対応しており、紙面右端の第１光学面１２１は、光レセプタクル１２０’を平面視した場合における右端の第１光学面１２１に対応している。
【００３８】
図６Ａに示されるように、接着剤により固定された比較例の光レセプタクル１２０’では、左端の発光素子１１４から出射された光は、第１光学面１２１で外側の方向に屈折して、光レセプタクル１２０’内に入射する。そして、光レセプタクル１２０’に入射した光は、第３光学面１２２でさらに外側の方向に向かって反射する。また、周辺に比べて変形が小さい中央部の発光素子１１４から出射された光は、光軸に沿って光が進み、光レセプタクル１２０内にそのまま入射し、反射する。また、右端の発光素子１１４から出射された光は、第１光学面１２１で外側の方向に屈折して、光レセプタクル１２０’内に入射する。光レセプタクル１２０’に入射した光は、第３光学面１２２でさらに外側の方向に向かって反射する。
【００３９】
また、図６Ｂに示されるように、左端の発光素子１１４から出射され、第３光学面１２２で反射した光は、第２光学面１２３で本体到達すべき光伝送体１１６の端面の中心より大きく外側に向かって屈折して出射される。また、中央の発光素子１１４から出射され、第３光学面１２２で反射した光は、本体到達すべき第２光学面１２３で光伝送体１１６の端面より僅かに外側に向かって屈折して、出射される。さらに、右端の発光素子１１４から出射され、第３光学面１２２で反射した光は、本体到達すべき第２光学面１２３で光伝送体１１６の端面の中心より大きく外側に向かって屈折して出射される。このように、比較例の離型後の光レセプタクル１２０’は、本来到達すべき位置より全体として外側にずれるように、光伝送体１１６に到達するため、適切に発光素子１１４と光伝送体１１６を接続することができない。
【００４０】
このように、比較例に係る光レセプタクル１２０’は、接着剤を用いて基板１１２に固定した場合、発光素子１１４から出射した光を光伝送体１１６に適切に導くことができない。そこで、本実施の形態に係る光レセプタクル１２０は、予め接着剤の収縮による変形を考慮して製品設計がされている。
【００４１】
図７Ａ，Ｂは、接着剤により基板１１２に固定される前の、本実施の形態に係る光レセプタクル１２０の第１光学面１２１の配置を説明するための図である。図７Ａは、接着剤の硬化前において、平面視した場合の第１光学面１２１の配置を説明するための図であり、図７Ｂは、接着剤の硬化前において、正面視した場合の第１光学面１２１の配置を説明するための図である。図７Ａの実線は、固定前の光レセプタクル１２０の第１光学面１２１を示している。図７Ａの破線は、固定後の光レセプタクル１２０の第１光学面１２１を示している。図７Ａの破線矢印は、発光素子１１４から出射される光の光軸の位置を示している。また、図７Ａの一点鎖線は、接着前の第１光学面１２１の中心の位置を示している。図８Ａ，Ｂは、接着剤により基板１１２に固定された後の第２光学面１２３の配置を説明するための図である。図８Ａは、接着剤の硬化後において、平面視した場合の第２光学面１２３の配置を説明するための図であり、図８Ｂは、接着剤の硬化後において、正面視した場合の第２光学面１２３の配置を説明するための図である。図８Ａの一点鎖線は、光伝送体１１６の受光面の中心の位置を示している。図８Ａの実線は、固定前の光レセプタクル１２０の第１光学面１２１を示している。図８Ａの破線は、固定後の光レセプタクル１２０の第１光学面１２１を示している。
【００４２】
図７Ａに示されるように、接着剤の硬化前では、配置されたときに対向する隣接する２つの第１光学面１２１の中心間距離Ｄ１は、配置されたときに対向する隣接する２つの発光素子１１４から出射される光の光軸間距離Ｄ２より短くなるように配置されている。また、図７Ｂに示されるように、接着剤の硬化前では、第１光学面１２１の中心と発光素子１１４との距離Ｄ５は、第１光学面１２１の列の両端から中心に向かうにつれて長くなるように設計されている。
【００４３】
図８Ａに示されるように、接着剤の硬化前では、前記複数の第２光学面が配置された側面において、配置されたときに対向する隣接する２つの第２光学面１２３の中心間距離Ｄ３は、配置されたときに対向する隣接する２つの光伝送体１１６の受光面の中心間距離Ｄ４より短くなるように設計されている。また、図８Ｂに示されるように、接着剤の硬化前では、第２光学面１２３の中心と発光素子１１４の発光面を含む仮想平面との距離Ｄ６は、第２光学面１２３の列の両端から中心に向かうにつれて長くなるように設計されている。
【００４４】
図９Ａ，Ｂは、接着剤の硬化後において、光レセプタクル１２０における光の光路を示した図である。図９Ａは、接着剤の硬化後において、光レセプタクル１２０における発光素子１１４から第３光学面１２２までの光路を示した図であり、図９Ｂは、接着剤の硬化後において、光レセプタクル１２０における第３光学面１２２から光伝送体１１６までの光路を示した図である。図９Ａ，Ｂにおいて、紙面左端の第１光学面１２１は、図２Ｂ（底面図）における左端の第１光学面１２１を示しており、紙面中央の第１光学面１２１は、図２Ｂ（底面図）における中央の第１光学面１２１を示しており、紙面右端の第１光学面１２１は、図２Ｂ（底面図）における右端の第１光学面１２１をそれぞれ示している。
【００４５】
図９Ａに示されるように、上述したように設計され、接着剤を用いて固定された光レセプタクル１２０では、左端の発光素子１１４から出射された光は、第１光学面１２１で内側の方向に屈折して、光レセプタクル１２０内に入射する。そして、光レセプタクル１２０に入射した光は、第３光学面１２２で外側の方向に向かって反射する。また、周辺に比べて変形が小さい中央部の発光素子１１４から出射された光は、光軸に沿って光が進み、光レセプタクル１２０内にそのまま入射し、反射する。また、右端の発光素子１１４から出射された光は、第１光学面１２１で内側の方向に屈折して、光レセプタクル１２０内に入射する。光レセプタクル１２０に入射した光は、第３光学面１２２で外側の方向に向かって反射する。
【００４６】
また、図９Ｂに示されるように、左端の発光素子１１４から出射され、第３光学面１２２で反射した光は、第２光学面１２３で光伝送体１１６の端面の中心に向かって屈折して出射される。また、中央の発光素子１１４から出射され、第３光学面１２２で反射した光は、第２光学面１２３で光伝送体１１６の端面の中心に向かって屈折して出射される。さらに、右端の発光素子１１４から出射され、第３光学面１２２で反射した光は、第２光学面１２３で光伝送体１１６の端面の中心に向かって屈折して出射される。このように、実施の形態に係る光レセプタクル１２０は、第１光学面１２１および第２光学面１２３の配置を調整することで、接着剤を用いて基板１１２に対して固定したときに変形した場合であっても、発光素子１１４および光伝送体１１６を光学的に接続できるようになっている。
【００４７】
（効果）
以上のように、本実施の形態に係る光レセプタクル１２０は、接着剤を用いて基板１１２に固定される前は、第１光学面１２１の中心と仮想平面（発光素子１１４の発光面）との距離および第２光学面１２３と仮想平面との距離が、いずれも列の両端から中心に向かうにつれて長く、かつ第１光学面１２１の中心間距離および第２光学面１２３の中心間距離が、発光素子１１４から出射される光の光軸間距離および光伝送体１１６の受光面の中心間距離より短い。よって、本実施の形態に係る光レセプタクル１２０は、接着剤を用いて基板１１２に対して固定することで変形した場合であっても、発光素子１１４および光伝送体１１６を適切に光学的に接続することができる。
【００４８】
なお、上記実施の形態に係る光レセプタクル１２０では、第１光学面１２１および第２光学面１２３が凸レンズ面である場合を示したが、第１光学面１２１および第２光学面１２３は平面であってもよい。具体的には、第１光学面１２１のみが平面であってもよいし、第２光学面１２３のみが平面であってもよい。第１光学面１２１が平面に形成されている場合、例えば、第３光学面１２２は、凹面鏡として機能できるように形成される。また、第１光学面１２１や第３光学面１２２などにより、第２光学面１２３に到達する直前の光が効果的に収束されている場合は、第２光学面１２３が平面に形成されていてもよい。
【００４９】
また、上記実施の形態に係る光レセプタクル１２０は、受信側の光モジュールにも使用することができる。この場合、受信用の光モジュールは、複数の発光素子１１４の代わりに光を受光するための複数の受光素子を有する。複数の受光素子は、それぞれ発光素子と同じ位置に配列される。受信用の光モジュールでは、第２光学面１２３が入射面となり、第１光学面１２１が出射面となる。光伝送体１１６の端面から出射された光は、第２光学面１２３から光レセプタクル内に入射する。そして、光レセプタクルに入射した光は、第３光学面１２２で反射して第１光学面１２１から受光素子に向かって出射される。この場合、第１光学面１２１の中心と受光素子の受光面との距離および第２光学面１２３の中心と受光素子の受光面との距離は、第１光学面１２１の列および第２光学面１２３の列の両端から中心に向かうにつれて長く、隣接する２つの第１光学面１２１の中心間距離および隣接する２つの第２光学面１２３の中心間距離は、隣接する２つの光伝送体１１６から出射される光の光軸間距離および隣接する２つの受光素子の受光面の中心間距離より短く設計される。
【産業上の利用可能性】
【００５０】
本発明に係る光レセプタクルおよび光モジュールは、光伝送体を用いた光通信に有用である。
【符号の説明】
【００５１】
１００  光モジュール
１１０  光電変換装置
１１２  基板
１１４  発光素子
１１６  光伝送体
１２０，１２０’  光レセプタクル
１２１  第１光学面（入射面）
１２２  第３光学面（反射面）
１２３  第２光学面（出射面）
１２４  凹部
【図１】
2015155995.tif 000003
【図２】
2015155995.tif 000004
【図３】
2015155995.tif 000005
【図４】
2015155995.tif 000006
【図５】
2015155995.tif 000007
【図６】
2015155995.tif 000008
【図７】
2015155995.tif 000009
【図８】
2015155995.tif 000010
【図９】
2015155995.tif 000011